(57)【要約】【課題】本来動植物をはじめ人も自然からの波動エネルギーを無意識に感じながらそのリズムに合わせて生活できるものである。ところが文明の発達や食生活の変化によって徐々に波動を感じとる感性が鈍ってきている。その結果自らの波動が乱れ正常な細胞が形成されず、病気なったり異常行動を引き起こしたりしている。そこで本発明は、乱れた波動を正常な波動に調整するための波動調整器を提供することを目的とする。【解決手段】本発明に係る波動調整器は転写レート入力部、波動シート、オリジナル体載置部及びコピー側物質載置部より構成した。【選択図】　図１
2004049665.tif 000002
【特許請求の範囲】
【請求項１】
転写レート入力部１、波動シート２、オリジナル体載置部３及びコピー側物質載置部４より成る波動調整器。
【発明の詳細な説明】
【０００１】
【発明の属する技術分野】
本発明は各種の物質や生物が発する固有の微細信号（波動エネルギー）を正常値に調整するための波動調整器に関するものである。
【０００２】
【発明が解決しようとする課題】
物質や植物、動物・人間も自ら発する波動を持っている。本来動植物をはじめ人も自然からの波動エネルギーを無意識に感じながらそのリズムに合わせて生活できるものである。ところが文明の発達や食生活の変化によって徐々に波動を感じとる感性が鈍ってきている。その結果自らの波動が乱れ、正常な細胞が形成されず、病気なったり異常行動を引き起こしたりしている。
【０００３】
そこで本発明は、乱れた波動を正常な波動に調整するための波動調整器を提供することを目的とする。
【０００４】
【課題を解決するための手段】
上記課題を解決するために本発明に係る波動調整器は転写レート入力部、波動シート、オリジナル体載置部及びコピー側物質載置部より構成した。以下かように構成される本発明が、いかに作用して課題を解決するかを述べる。
【０００５】
本発明に係る波動調整器は例えば以下のように使用する。
【０００６】
オリジナル体載置部に、健康状態や精神状態に問題を抱える人の手を載置する。他方でコピー側物質載置部に波動の塩等を浸した２ｃｍ角の紙を載置する。その後、転写レート入力部に波動レートを入力する。ここに波動レートは各部位の正常レートをあらわすものである。
【０００７】
係る状態のもと波動シートの働きにより、コピー側物質載置部におかれた波動の塩等を浸した紙に問題箇所の波動を送り込み、問題を抱える人の波動を正常な波動に調整するのである。
【０００８】
また、他の使用方法としてはオリジナル体載置部に例えば薬を載置する。他方でコピー側物質載置部に波動水が入ったコップを載置する。その後、転写レート入力部に波動レートを入力する。ここに波動レートは各物質の正常レートをあらわすものである。
【０００９】
係る状態のもと波動シートの働きにより、コピー側物質載置部におかれた波動水が入ったコップにオリジナル体載置部におかれた薬の正常波動を送り込む。かようにして波動水に薬の正常波動のみを送り込み、副作用等を除去した波動水を作る。この波動水を飲むことで有用波動のみを有し副作用のない薬を摂取したことになるのである。
【００１０】
かように本発明によれば乱れた波動を正常な波動に調整することが可能となるのである。
【００１１】
【発明の実施の形態】
１、　以下好ましい発明の一実施形態につき図面を参照しながら述べる。
【００１２】
図１は本発明に係る波動調整器の斜視図であり、図２は同分解斜視図であり、図３は本発明の構成図であり、図４は操作の流れを示すフロー図であり、図５はエンボスシートの正面図であり、図６は波動シートの正面図であり、図７は肉体の器官における波動レートの一部を公にした図であり、図８は各種症状の波動レートの一部を公にした図であり、図９は精神面における各種症状の波動レートの一部を公にした図である。
【００１３】
２、　本発明に係る波動調整器を構成する主なブロックは以下のとおりである。
【００１４】
液晶表示部１０、転写レート入力部に該当する文字入力キー１１、出力キー１２及びＳＴＡＲＴキー１３より成る入力キー、電源ＯＮ／ＯＦＦキー１４、タイマーＬＥＤ１５、アラーム音用ブザー、コントローラー、波動シート２、オリジナル体載置部３及びコピー側物質載置部４。
【００１５】
このうち液晶表示部、文字入力キー、ＳＴＡＲＴキー、出力キー、アラーム音用ブザー及びタイマーＬＥＤは図３に示すようにコントローラーにより制御されるものである。以下各部につき詳述する。
【００１６】
３、　液晶表示部
液晶表示部１０は１６文字１行で構成されるユニットを使用し、有効表示文字数は１５文字とする。１５文字を超えて入力された文字は表示されない。表示のホームポジションは右端とし、キーを認識するごとに表示を左にシフトしながら該当文字を右端へ表示していく。またエラー発生時には「Ｅｒｒｏｒ」を表示する。尚、１文字は５×８ドットで構成される。
【００１７】
４、　文字入力キー
文字入力キー１１は以下の種類が用意される。
【００１８】
数字キー、＋キー、−キー、※キー、Ｊキー、Ｇキー、Ｒキー、Ｃキー、ＡＣキー及び・キー。
【００１９】
ここに数字キーは０から９までの数字入力用キーであり、０、１、２、３、４、５、６、７、８及び９の１０個のキーより成るものである。
【００２０】
＋キーは＋記号入力キーである。
【００２１】
−キーは−記号入力キーである。
【００２２】
※キーは※記号入力キーである。
【００２３】
ＪキーはＪ入力キーである。
【００２４】
ＧキーはＧ入力キーである。
【００２５】
ＲキーはＲ入力キーである。
【００２６】
Ｃキーは１文字クリアーキーである。このキーが押された場合、直前に入力された文字をクリアーし、残りの文字列を右側へシフトする。
【００２７】
ＡＣキーは表示文字を全てクリアするキーである。このキーが押された場合、全ての表示をクリアーし、カーソルをホームポジションへ戻す。エラー発生時にはこのキーを押すことにより解除され、「Ｅｒｒｏｒ」表示も消去される。
【００２８】
・キーは・記号入力キーである。
【００２９】
５、　入力キー（出力キー及びＳＴＡＲＴキー）
入力キーは２つを同時に押すことが前提となっている。このキーを同時に押すことによってタイマー機能がスタートし、タイマーＬＥＤ１５が１５秒間点灯する。入力キーが１０秒以上の間隔で押された場合はエラーとし、液晶表示部に「Ｅｒｒｏｒ」表示し、再度「Ｅｒｒｏｒ」表示前のレートを再表示し、以降の操作を有効とする。
【００３０】
６、　電源ＯＮ／ＯＦＦキー
電源ＯＮ／ＯＦＦキー１４は本装置の電源をＯＮ／ＯＦＦするキーであり文字入力のキーではない。本装置の電源は初期状態ではＯＦＦとなっている。この状態でＯＮ／ＯＦＦキーを押すと装置の電源が入り、再び押すことによって装置の電源がＯＦＦとなる。キーが押された場合入力確認としてアラーム用ブザーを１００ｍＳの間ＯＮとする。尚、キーが２つ以上同時に押された時は無視し、警告としてアラーム用ブザーを１０ｍＳ周期で３回ＯＮとする。
【００３１】
７、　タイマーＬＥＤ
タイマーＬＥＤ１５は入力キー（出力キー及びＳＴＡＲＴキー）を同時に押すことによってタイマーがスタートしたことを示すＬＥＤで、１５秒間点灯するものとする。
【００３２】
８、　アラーム音用ブザー
アラーム音用ブザーは１５秒のタイマーが終了した後アラーム音を鳴らし、タイマーが終了したことを知らせると共に、キーの認識及び誤操作識別のためのものである。キー認識時には１００ｍＳ、誤操作時には１００ｍＳ周期を３回、タイマー終了のアラーム音は３秒間出力されるものとする。
【００３３】
９、　コントローラー
コントローラーは本装置の機能を制御するためのＩＣで、ワンチップマイクロコントローラーを使用する。尚、コントローラーには計算機能は付加されていないので本装置には計算機能は装備されない。
【００３４】
１０、　波動シート
図６に示される波動シートは波動転写を司るものである。
【００３５】
１１、　オリジナル体載置部及びコピー側物質載置部
オリジナル体載置部及びコピー側物質載置部は、本体上面に設けられたサークルに存するものであり、オリジナル体載置部には波動を転写する側のものを載置し、コピー側物質載置部には転写される側の物質を載置するものである。
【００３６】
１２、　エラー処理
本装置には２種類のエラー処理がある。
【００３７】
（１）　文字入力後出力キー又はＳＴＡＲＴキーが押されるまでの時間
レート入力後、出力キー又はＳＴＡＲＴキーが押されるまでの時間は１０秒とする。１０秒以内に該当キーが押された場合は正常動作とするが、１０秒を超えた場合はエラーとし、入力された文字を全てクリアーし液晶表示部に「Ｅｒｒｏｒ」と表示すると共に、アラーム用ブザーを１００ｍＳ周期で３回鳴らし、再度「Ｅｒｒｏｒ」表示前のレートを再表示し、以降の操作を有効とする。
【００３８】
（２）　出力キーとＳＴＡＲＴキーの時間差
出力キーとＳＴＡＲＴキーは、１０秒以内に押されることで同時に押されたとみなし、正常動作とする。該当キーが１０秒を過ぎて押された場合又は、３秒を過ぎても片方のキーが押されなかった場合はエラーとし、入力された文字を全てクリアーし、液晶表示部に「Ｅｒｒｏｒ」と表示すると共に、アラーム用ブザーを１００ｍＳ周期で３回鳴らす。
【００３９】
１３、　以上の操作の流れを示したものが図４に示すフロー図である。
【００４０】
１４、　本発明に係る波動調整器の具体的構造は図２に示すとおりである。すなわち本発明は具体的にはエンボスシート、本体、基板、波動シート２、スポンジシート及び底蓋より成るものである。
【００４１】
エンボスシートには図５に示すように文字入力キー、ＯＮ／ＯＦＦキー、入力キー、オリジナル体載置部及びコピー側物質載置部に該当する場所に文字やサークルがプリントされている。このエンボスシートは本体上面に貼着されるものである。
【００４２】
本体は基板や波動シートを納めるためのものである。液晶表示部に対応する場所には長孔である窓部１６が設けてある。各種キーに対応する場所にも孔１７が設けてある。
【００４３】
基板には液晶表示部１０、コントローラー、各種キーが取り付けてある。また電源となる電池用端子も設けてある。
【００４４】
波動シート２は基板の下部に装備されるものである。
【００４５】
基板及び波動シート２を納めた本体はスポンジシートを介在させたうえで底蓋により封されるものである。
【００４６】
１５、　図７は肉体の器官における波動レートの一部を公にした図である。前頭葉に中症を負う者が当該部位の波動を調整する場合には、例えば＊０６３−５−５という波動レートを入力キーを使って波動調整器に入力するのである。
【００４７】
図８は各種症状の波動レートの一部を公にした図である。エイズウイルスに犯された者が当該エイズウイルスの波動を調整する場合には＊Ｊ１８・５−２１という波動レートを入力キーを使って波動調整器に入力するのである。
【００４８】
図９は精神面における各種症状の波動レートの一部を公にした図である。物欲に取りつかれた者が当該物欲の波動を調整する場合には＊０２４Ｊ−Ｇという波動レートを入力キーを使って波動調整器に入力するのである。
【００４９】
【発明の効果】
本発明は以上のように構成されていることから、乱れた波動を正常な波動に調整するための波動調整器を提供することが可能となるのである。
【図面の簡単な説明】
【図１】本発明に係る波動調整器の斜視図。
【図２】同、分解斜視図。
【図３】本発明の構成図。
【図４】操作の流れを示すフロー図。
【図５】エンボスシートの正面図。
【図６】波動シートの正面図。
【図７】肉体の器官における波動レートの一部を公にした図。
【図８】各種症状の波動レートの一部を公にした図。
【図９】精神面における各種症状の波動レートの一部を公にした図。
【符号の説明】
１・・転写レート入力部　　　２・・波動シート
３・・オリジナル体載置部　　　４・・コピー側物質載置部
【図１】
2004049665.tif 000003
【図２】
2004049665.tif 000004
【図３】
2004049665.tif 000005
【図４】
2004049665.tif 000006
【図５】
2004049665.tif 000007
【図６】
2004049665.tif 000008
【図７】
2004049665.tif 000009
【図８】
2004049665.tif 000010
【図９】
2004049665.tif 000011